(57)【要約】【課題】本発明は少なくとも１つのマスターコンセント、少なくとも１つのスレーブコンセント、複数個の電力スイッチ、負荷判断装置及び制御装置を含む逐次制御機能を有するマスター／スレーブ方式のコンセント装置を提供する。【解決手段】各マスターコンセントは入力電源に電気的に接続する。各電力スイッチの入力端子は同時に入力電源に電気的に接続すると共に、各電力スイッチの出力端子はそれぞれ各スレーブコンセントに対応して電気的に接続して、入力電源が各スレーブコンセントに送電されたか否かを制御する。負荷判断装置は各マスターコンセントに電気的に接続し、各マスターコンセントの負荷が通電したか否かに基づいて、制御信号を出力する。制御装置は負荷判断装置と各電力スイッチに電気的に接続して制御信号に制御されると共に、設定順序に従って各電力スイッチを逐次作動する。【選択図】図３
2010272507.tif 000002
【特許請求の範囲】
【請求項１】
逐次制御機能を有するマスター／スレーブ方式のコンセント装置であって、
少なくとも１つのマスターコンセントであって、各マスターコンセントは入力電源に電気的に接続するものと、
複数個のスレーブコンセントと、
複数個の電力スイッチであって、各電力スイッチの入力端子は同時に前記入力電源に電気的に接続し、しかも各電力スイッチの出力端子はそれぞれ各スレーブコンセントに対応して電気的に接続して、前記入力電源が各スレーブコンセントに送電されたか否かを制御するものと、
各マスターコンセントに電気的に接続する負荷判断装置であって、前記負荷判断装置は各マスターコンセントの負荷が通電したか否かによって制御信号を出力するものと、
前記負荷判断装置と各電力スイッチに電気的に接続する制御装置であって、前記制御装置は前記制御信号に制御されて設定順序に従って各電力スイッチを逐次作動するものと、
を含むことを特徴とする逐次制御機能を有するマスター／スレーブ方式のコンセント装置。
【請求項２】
前記負荷判断装置は、
各マスターコンセントに電気的に接続する検知ユニットであって、前記検知ユニットは各マスターコンセントを流れる総電流値を検知して電流信号を出力するものと、
前記検知ユニットに電気的に接続する判断ユニットであって、前記判断ユニットは前記電流信号と既定値とを比較演算して前記制御信号を出力し、前記判断ユニットは前記電流信号が前記既定値より大きいとき、前記制御装置を制御して設定順序に従って各電力スイッチを逐次オンにし、また、前記電流信号が前記既定値より小さいとき、前記制御装置を制御して設定順序に従って各電力スイッチを逐次オフにするものと、
を含むことを特徴とする請求項１に記載の逐次制御機能を有するマスター／スレーブ方式のコンセント装置。
【請求項３】
前記負荷判断装置は、
各マスターコンセントに電気的に接続する検知ユニットであって、前記検知ユニットは各マスターコンセントを流れる総電流値と各マスターコンセントの電圧値を検知して電流信号と電圧信号を出力するものと、
前記検知ユニットに電気的に接続する発射ユニットであって、前記発射ユニットは前記電流信号と前記電圧信号をエンコードして電源ＲＦ信号を出力するものと、
前記電源ＲＦ信号を受信すると共にデコーディングして前記電流信号と前記電圧信号を生じるリモコンであって、前記リモコンは前記電流信号と前記電圧信号に基づいて、各マスターコンセントを流れる総電流値、各マスターコンセントの電圧値及び各マスターコンセントの総消費電力量を表示すると共に、前記リモコンは前記電流信号と既定値とを比較演算して前記制御信号を無線出力するものと、
を含むことを特徴とする請求項１に記載の逐次制御機能を有するマスター／スレーブ方式のコンセント装置。
【請求項４】
前記リモコンは前記電流信号が前記既定値より大きいとき、前記制御装置を無線制御して設定順序に従って各電力スイッチを逐次オンにし、また、前記電流信号が前記既定値より小さいとき、前記制御装置を無線制御して設定順序に従って各電力スイッチを逐次オフにすることを特徴とする請求項３に記載の逐次制御機能を有するマスター／スレーブ方式のコンセント装置。
【請求項５】
前記制御装置は多種類の設定順序を有すると同時に、前記リモコンは選択信号を前記制御装置に出力して、前記制御装置を無線制御して多種類の設定順序のうちの１つに従って各電力スイッチを逐次オン／オフにすることを特徴とする請求項３に記載の逐次制御機能を有するマスター／スレーブ方式のコンセント装置。
【発明の詳細な説明】
【技術分野】
【０００１】
本発明は逐次制御機能を有するマスター／スレーブ方式のコンセント装置に関し、特に設定順序に従って電源をオン／オフにするマスター／スレーブ方式のコンセント装置に関する。
【背景技術】
【０００２】
一般に現代の家庭では、各種家電設備に供給するための相当数の電源コンセントがあるものの、電源コンセントの数をこれ以上多くしても、電器設備の増加数にとても追付けず、このように、電源コンセントがその使用をまかないきれない問題が生じている。電源コンセントがその使用をまかないきれない問題を解決するために、大多数の家庭では図１、図２に示すように、安全を前提にして延長コードとコンセントのセットを採用している。一般家庭又はユーザーは通常延長コードとコンセントのセット１０を利用して数個の拡充コンセントを延伸させて、電源コンセントがその使用をまかないきれない問題を解決している。
【０００３】
図１、図２を参照する。一般家庭又はユーザーは通常延長コードとコンセントのセット１０に、パソコン本体とその周辺機器やテレビ、映像・音声プレーヤとスピーカ等のような相互に関連した電器設備を接続している。同一の延長コードとコンセントのセット１０に接続した電器設備は、使用上関連性があり、例えば、パソコンは起動しなければ、その他の周辺機器は作業できず、また反対にパソコンを終了させると、その他の周辺機器は作業できなくなる。
【０００４】
従って、延長コードとコンセントのセット１０のうちの１つの電源コンセントのメイン負荷（例えばパソコン本体やテレビ）をオンすると、その他の電源コンセントの関連機器もまた同時にオンとなり、メイン負荷（例えばパソコン本体やテレビ）をオフにすると、その他の電源コンセントの関連機器もまた同時にオフとなる。そこで業界では直ちにマスター／スレーブ方式制御を有する延長コードとコンセントのセット（図示せず）を研究開発して、家庭内で相互に関連する電器設備の使用に提供して、電気使用の利便性や消防面での安全性を向上させ、エネルギー消費を節約した。
【発明の概要】
【発明が解決しようとする課題】
【０００５】
然しながら、マスター／スレーブ方式制御を有する延長コードとコンセントのセットを使用中に、マスターコンセントのメイン負荷がオンされたとき、仮に同時に延長コードとコンセントのセットのスレーブコンセントの周辺機器をオンすると、周辺電器設備がエネルギーを奪い合うことで瞬間的に電源不足を来たして、それ自体の内部部品の寿命に影響を及ぼすこととなる。
【０００６】
これに鑑みて本発明は、少なくとも１つのマスターコンセントと複数個のスレーブコンセントを提供し、そのうちマスターコンセントのメイン負荷がオンされると、マスター／スレーブ方式のコンセントのスレーブコンセントが事前に設定されたオン順序に従って、順次電源をスレーブコンセントに接続された電器に提供することを特徴とする逐次制御機能を有するマスター／スレーブ方式のコンセント装置を提供する。
【課題を解決するための手段】
【０００７】
本発明の好ましい実施例１に係る逐次制御機能を有するマスター／スレーブ方式のコンセント装置は、少なくとも１つのマスターコンセント、複数個のスレーブコンセント、複数個の電力スイッチ、負荷判断装置及び制御装置を含む。そのうち、各マスターコンセントは入力電源に電気的に接続される。各電力スイッチの入力端子は入力電源に同時に電気的に接続されると共に、各電力スイッチの出力端子はそれぞれ各スレーブコンセントに対応して電気的に接続されて、入力電源が各スレーブコンセントに送電されたか否かを制御する。負荷判断装置はさらに検知ユニットと判断ユニットとを含み、そのうち検知ユニットは各マスターコンセントに電気的に接続されて、各マスターコンセントを流れる総電流値を検知すると共に、電流信号を出力する。判断ユニットは検知ユニットに電気的に接続されて、電流信号と既定値を比較演算すると共に、制御信号を出力する。制御装置は負荷判断装置と各電力スイッチに電気的に接続されて制御信号に制御されると共に、設定順序に従って逐次各電力スイッチを作動する。
【０００８】
本発明の好ましい実施例２に係る逐次制御機能を有するマスター／スレーブ方式のコンセント装置は、好ましい実施例１と比較すると、異なる負荷判断装置を有する。好ましい実施例２において、負荷判断装置は検知ユニット、発射ユニット及びリモコンを含む。そのうち、検知ユニットは各マスターコンセントに電気的に接続されて、各マスターコンセントを流れる総電流値と各マスターコンセントの電圧値を検知すると共に、電流信号と電圧信号を出力する。発射ユニットは検知ユニットに電気的に接続され、電流信号と電圧信号をエンコードすると共に、電源ＲＦ信号を出力する。リモコンは電源ＲＦ信号を受信すると共に、電源ＲＦ信号をデコーディングして電流信号と電圧信号を生じると同時に、電流信号と電圧信号に基づいて、各マスターコンセントを流れる電流値、電圧値及び消費電力値を表示すると共に、リモコンは電流信号と既定値を比較演算して制御信号を出力する。
【０００９】
以上述べたことをまとめると、本発明の逐次制御機能を有するマスター／スレーブ方式のコンセント装置は、少なくとも１つのマスターコンセントと複数個のスレーブコンセントを提供して、ユーザーが制御順序をそれぞれ設定することで使用面での弾力性が増す。また同時に、本発明の逐次制御機能を有するマスター／スレーブ方式のコンセント装置はメイン負荷がオンされると、周辺電気設備が順次オン／オフとなり、周辺電器設備がエネルギーを奪い合うことで瞬間的に電源不足を招くことでもたらされる内部部品の損耗という問題を改善する。
【００１０】
以上の概説と引続いての詳細説明は何れもデモンストレーション的性質のものであって、本発明の特許請求の範囲をさらに説明するものである。また、本発明に関連するその他の目的や長所は後続の説明と図示で記述するものとする。
【図面の簡単な説明】
【００１１】
【図１】従来の延長コードとコンセントセットで相互に関連する電器設備を接続した概略図である。
【図２】別の従来の延長コードとコンセントセットで相互に関連する電器設備を接続した概略図である。
【図３】本発明の回路機能のブロック概略図である。
【図４】本発明の好ましい実施例１に係る回路機能のブロック概略図である。
【図５】本発明の好ましい実施例１に係る外観の概略図である。
【図６】本発明の好ましい実施例１に係る別の外観の概略図である。
【図７】本発明の好ましい実施例２に係る回路機能のブロック概略図である。
【図８】本発明の好ましい実施例２に係る外観の概略図である。
【図９】本発明の好ましい実施例２に係る別の外観の概略図である。
【発明を実施するための形態】
【実施例】
【００１２】
図３は本発明の回路機能のブロック概略図である。本発明の逐次制御機能を有するマスター／スレーブ方式のコンセント装置２０は少なくとも１つのマスターコンセント２０２、複数個のスレーブコンセント２０４、複数個の電力スイッチ２０３、負荷判断装置２０６及び制御装置２０８を含む。そのうち、各マスターコンセント２０２は入力電源ＡＣに電気的に接続される。各電力スイッチ２０３の入力端子（図示せず）は同時に入力電源ＡＣに電気的に接続され、また各電力スイッチ２０３の出力端子（図示せず）はそれぞれ各スレーブコンセント２０４に対応して電気的に接続されて、入力電源ＡＣが各スレーブコンセント２０４に送電された否かを制御する。
【００１３】
図３を再び参照する。負荷判断装置２０６は各マスターコンセント２０２に電気的に接続され、各マスターコンセント２０２の負荷（図示せず）が通電したか否かに基づいて、制御信号Ｓ１を制御装置２０８に出力する。制御装置２０８は負荷判断装置２０６と各電力スイッチ２０３に電気的に接続され、制御信号Ｓ１に制御されると共に、設定順序に従って各電力スイッチ２０３を逐次作動する。
【００１４】
図３を再び参照する。各マスターコンセント２０２の負荷がオンされると、負荷判断装置２０６はマスターコンセント２０２を流れる総電流値Ｉｔを得ると共に、総電流値Ｉｔが既定値に達すると、制御信号Ｓ１を出力して制御装置２０８の作動を可能にし、このとき制御装置２０８は内部に設定された制御プログラムを実行して、設定順序に従って各電力スイッチ２０３を逐次オンにする。
【００１５】
図３を再び参照する。各マスターコンセント２０２の負荷が休眠若しくはオフとなり、且つマスターコンセント２０２を流れる総電流値Ｉｔが前記既定値より低いとき、負荷判断装置２０６は制御信号Ｓ１を出力して制御装置２０８の作動を停止させ、制御装置２０８内部に設定された制御プログラムを実行して、設定順序に従って各電力スイッチ２０３を逐次オフにする。前述した中で、各電力スイッチ２０３を逐次オフにする設定順序と各電力スイッチ２０３を逐次オンにする設定順序は反対である。
【００１６】
図３と併せて図４を参照する。図４は本発明の好ましい実施例１に係る回路機能のブロック概略図である。図４に示すように、本発明の好ましい実施例１に係る逐次制御機能を有するマスター／スレーブ方式のコンセント装置３０のマスターコンセント２０２、スレーブコンセント２０４、電力スイッチ２０３及び制御装置２０８といったこれらの部材の接続関係や機能は前述の図３で示された逐次制御機能を有するマスター／スレーブ方式のコンセント装置２０と同様である。但し、本発明の好ましい実施例１に係る逐次制御機能を有するマスター／スレーブ方式のコンセント装置３０は負荷判断装置２０６ａが検知ユニット２０６２と判断ユニット２０６４をさらに含むことを開示している。
【００１７】
図４に示すように、検知ユニット２０６２は各マスターコンセント２０２に電気的に接続されて各マスターコンセント２０２を流れる総電流値Ｉｔを検知すると共に、総電流値Ｉｔに基づいて電流信号Ｖｃを判断ユニット２０６４に出力する。判断ユニット２０６４は検知ユニット２０６２に電気的に接続され、電流信号Ｖｃと既定値（図示せず）を比較演算すると共に、演算結果に基づいて前記制御信号Ｓ１を出力する。
【００１８】
従って、マスターコンセント２０２の負荷がオンされると、検知ユニット２０６２はマスターコンセント２０２を流れる総電流値Ｉｔを得ると共に、電流信号Ｖｃを判断ユニット２０６４に出力する。このとき、出力する電流信号Ｖｃが既定値（図示せず）より大きいと、判断ユニット２０６４は制御信号Ｓ１を出力して制御装置２０８の作動を可能にして、制御装置２０８を制御して設定順序に従って各電力スイッチ２０３を逐次オンにする。
【００１９】
また、マスターコンセント２０２の負荷が休眠若しくはオフとなり、しかも検知ユニット２０６２が出力する電流信号Ｖｃが既定値（図示せず）より小さいとき、判断ユニット２０６４は制御信号Ｓ１を出力して制御装置２０８の作動を停止し、前記制御装置２０８を制御して設定順序に従って各電力スイッチ２０３を逐次オフにする。前述した中で、各電力スイッチ２０３を逐次オフにする設定順序と各電力スイッチ２０３を逐次オンにする設定順序は反対である。
【００２０】
図４と併せて図５を参照する。図５は本発明の好ましい実施例１に係る外観の概略図である。図５に示すように、逐次制御機能を有するマスター／スレーブ方式のコンセント装置３０ａは１つのマスターコンセント２０２及びマスターコンセント２０２と連動する４つのスレーブコンセント２０４を有する。家電設備の互いの関連性に基づいて、逐次制御機能を有するマスター／スレーブ方式のコンセント装置３０ａは使用において、マスターコンセント２０２はテレビの接続用に提供することができると同時に、マスターコンセント２０２と連動する４つのスレーブコンセント２０４はそれぞれＤＶＤプレーヤ、スピーカ、セットトップボックス、ステレオに接続される。
【００２１】
このように、マスターコンセント２０２に接続されたテレビがオンし、しかも十分な電流に達したとき、４つのスレーブコンセント２０４はシステムの設定によりそれぞれオンされて通電し、このとき４つのスレーブコンセント２０４に接続されたＤＶＤプレーヤ、スピーカ、セットトップボックス、ステレオ等は逐次オンする。また、テレビが休眠又は待機モードにあるとき、４つのスレーブコンセント２０４はオンとは反対の順序でオフとなる。
【００２２】
図４と併せて図６を参照する。図６は本発明の好ましい実施例１に係る別の外観の概略図である。図６に示すように、逐次制御機能を有するマスター／スレーブ方式のコンセント装置３０ｂは２つのマスターコンセント２０２及び２つのマスターコンセント２０２と連動する４つのスレーブコンセント２０４を有する。家電設備の互いの関連性に基づいて、逐次制御機能を有するマスター／スレーブ方式のコンセント装置３０ｂは使用において、２つのマスターコンセント２０２はそれぞれテレビとステレオプレーヤの接続用に提供する。そして同時に、２つのマスターコンセント２０２と連動する４つのスレーブコンセント２０４はそれぞれＤＶＤプレーヤ、スピーカ、セットトップボックス、ステレオに接続される。
【００２３】
このように、テレビとステレオプレーヤのうちの１つが又はこれらが同時にオンし、しかも十分な電流に達したとき、４つのスレーブコンセント２０４はシステムの設定によりそれぞれオンして通電し、このとき４つのスレーブコンセント２０４に電気的に接続されたＤＶＤプレーヤ、スピーカ、セットトップボックス、ステレオ等が逐次オンする。また、テレビとステレオプレーヤが同時に休眠又は待機モードにあるとき、４つのスレーブコンセント２０４はオンとは反対の順序でオフとなる。
【００２４】
図３と併せて図７を参照する。図７は本発明の好ましい実施例２に係る回路機能のブロック概略図である。図７に示すように、本発明の好ましい実施例２に係る逐次制御機能を有するマスター／スレーブ方式のコンセント装置４０のうちのマスターコンセント２０２、スレーブコンセント２０４、電力スイッチ２０３及び制御装置２０８といったこれらの部材の接続関係や機能は前述の図３で示された逐次制御機能を有するマスター／スレーブ方式のコンセント装置２０と同様である。但し、本発明の好ましい実施例２に係る逐次制御機能を有するマスター／スレーブ方式のコンセント装置４０は、さらに負荷判断装置２０６ｂが検知ユニット２０６３、発射ユニット２０６５及びリモコン２０６７を含むことを開示している。
【００２５】
図７を再び参照する。検知ユニット２０６３は各マスターコンセント２０２に電気的に接続されて各マスターコンセント２０２を流れる総電流値Ｉｔと各マスターコンセント２０２の電圧値Ｖｔを検知すると共に、総電流値Ｉｔと各マスターコンセント２０２の電圧値Ｖｔに基づいて電流信号Ｖｃ１と電圧信号Ｖｖ１を出力する。発射ユニット２０６５は検知ユニット２０６３に電気的に接続され、前記発射ユニット２０６５は電流信号Ｖｃ１と電圧信号Ｖｖ１を受信すると共に、電流信号Ｖｃ１と電圧信号Ｖｖ１をエンコードして、電源ＲＦ信号Ｓｆをリモコン２０６７に出力する。リモコン２０６７は電源ＲＦ信号Ｓｆを受信すると、前記電源ＲＦ信号Ｓｆをデコーディングして電流信号Ｖｃ１と電圧信号Ｖｖ１が生ずる様回復させる。
【００２６】
リモコン２０６７が前記電流信号Ｖｃ１と電圧信号Ｖｖ１を演算すると、スクリーン（図示せず）に各マスターコンセント２０２を流れる総電流値、各マスターコンセント２０２の電圧値及び各マスターコンセント２０２の総消費電力量を表示する。これと同時に、リモコン２０６７は電流信号Ｖｃ１とその内部に予め設定した既定値（図示せず）を比較演算すると共に、比較結果に基づいて、制御信号Ｓ１を制御装置２０８に無線出力する。
【００２７】
こうして、マスターコンセント２０２の負荷がオンされると、検知ユニット２０６３はマスターコンセント２０２を流れる総電流値Ｉｔを得ると共に、電流信号Ｖｃ１を発射ユニット２０６５に出力して、発射ユニット２０６５はＲＦ技術によって電流信号Ｖｃ１をリモコン２０６７へ送信する。電流信号Ｖｃ１がリモコン２０６７の既定値より大きいとき、リモコン２０６７は制御信号Ｓ１を制御装置２０８に無線出力して、制御装置２０８の作動を停止し、制御装置２０８を制御して設定順序に従って各電力スイッチ２０３を逐次オフにする。また、リモコン２０６７はユーザーが操作することで既定値を調整することもできる。
【００２８】
このほか、マスターコンセント２０２の負荷が休眠若しくはオフとなり、しかも検知ユニット２０６３が検知する電流信号Ｖｃがリモコン２０６７の既定値（図示せず）より小さいとき、リモコン２０６７は制御信号Ｓ１を制御装置２０８に無線出力して、制御装置２０８の作動を停止し、制御装置２０８を制御して設定順序に従って各電力スイッチ２０３を逐次オフにする。前述した中で、各電力スイッチ２０３を逐次オフにする設定順序と各電力スイッチ２０３を逐次オンにする設定順序は反対である。
【００２９】
図７を再び参照する。制御装置２０８は多種類の設定順序を有すると同時に、リモコン２０６７は選択信号Ｓ２を制御装置２０８に出力して、制御装置２０８を無線制御して多種類の設定順序のうちの１つに従って各電力スイッチ２０３を逐次オン／オフにする。
【００３０】
図７と併せて図８を参照する。図８は本発明の好ましい実施例２に係る外観の概略図である。図８に示すように、逐次制御機能を有するマスター／スレーブ方式のコンセント装置４０ａは、１つのマスターコンセント２０２及びマスターコンセント２０２と連動する４つのスレーブコンセント２０４を有する。家電設備の互いの関連性に基づいて、逐次制御機能を有するマスター／スレーブ方式のコンセント装置４０ａは使用において、マスターコンセント２０２はテレビの接続用に提供することができると同時に、マスターコンセント２０２と連動する４つのスレーブコンセント２０４はそれぞれＤＶＤプレーヤ、スピーカ、セットトップボックス、ステレオに接続される。
【００３１】
このように、マスターコンセント２０２に接続されたテレビがオンし、しかも十分な電流に達したとき、リモコン２０６７は４つのスレーブコンセント２０４を制御することができ、これらをシステムの設定順序によりそれぞれオンして通電する。このとき４つのスレーブコンセント２０４に電気的に接続されたＤＶＤプレーヤ、スピーカ、セットトップボックス、ステレオ等は逐次オンする。また、テレビとステレオプレーヤが同時に休眠又は待機モードにあるとき、４つのスレーブコンセント２０４はオンとは反対の順序でオフとなる。
【００３２】
さらに、ユーザーはリモコン２０６７によってマスターコンセント２０２を流れる総電流値、マスターコンセント２０２の電圧値及びマスターコンセント２０２の総消費電力量を知ることもできる。そして同時に、リモコン２０６７によって４つのスレーブコンセント２０４がオン／オフされる設定順序を選択することもできる。
【００３３】
図７と併せて図９を参照する。図９は本発明の好ましい実施例２に係る別の外観の概略図である。図９に示すように、逐次制御機能を有するマスター／スレーブ方式のコンセント装置４０ｂは２つのマスターコンセント２０２及び２つのマスターコンセント２０２と連動する４つのスレーブコンセント２０４を有する。家電設備の互いの関連性に基づいて、逐次制御機能を有するマスター／スレーブ方式のコンセント装置３０ｂは使用において、２つのマスターコンセント２０２はそれぞれテレビとステレオプレーヤの接続用に提供する。そして同時に、２つのマスターコンセント２０２と連動する４つのスレーブコンセント２０４はそれぞれＤＶＤプレーヤ、スピーカ、セットトップボックス、ステレオに接続される。
【００３４】
このように、２つのマスターコンセント２０２に接続されたテレビとステレオプレーヤのうちの１つが又はこれらが同時にオンし、しかも十分な電流に達したとき、リモコン２０６７は４つのスレーブコンセント２０４を制御可能にしてシステムの設定順序によりそれぞれオンして通電し、このとき４つのスレーブコンセント２０４に電気的に接続されたＤＶＤプレーヤ、スピーカ、セットトップボックス、ステレオ等は逐次オンする。また、テレビとステレオプレーヤが同時に休眠又は待機モードにあるとき、４つのスレーブコンセント２０４はオンとは反対の順序でオフとなる。
【００３５】
さらに、ユーザーはリモコン２０６７によって２つのマスターコンセント２０２を流れる総電流値、２つのマスターコンセント２０２の電圧値及び２つのマスターコンセント２０２の総消費電力量を知ることもできる。そして同時に、リモコン２０６７によって４つのスレーブコンセント２０４がオン／オフされる設定順序を選択することもできる。
【００３６】
以上述べたことをまとめると、本発明の逐次制御機能を有するマスター／スレーブ方式のコンセント装置は少なくとも１つのマスターコンセントと複数個のスレーブコンセントを提供して、ユーザーが制御順序をそれぞれ設定することで使用面での弾力性が増す。また同時に、本発明の逐次制御機能を有するマスター／スレーブ方式のコンセント装置はメイン負荷がオンされると、周辺電気設備が順次オン／オフとなり、周辺電器設備がエネルギーを奪い合うために瞬間的に電源不足を来たすことでそれ自体の内部部品が損耗するという問題を改善する。
【００３７】
以上の記述は本発明の最良の具体的実施例に過ぎず、本発明の特徴はこれに限定されるものではなく、当業者が本発明分野において、容易に思いつく変更若しくは修飾についても、全て下記の本願の特許請求の範囲内に含まれるものとする。
【符号の説明】
【００３８】
（従来）
１０  延長コードとコンセントのユニット
（本発明）
２０、３０、３０ａ、３０ｂ、４０、４０ａ、４０ｂ  逐次制御機能を有するマスター／スレーブ方式のコンセント装置
２０２  マスターコンセント
２０４  スレーブコンセント
２０３  電力スイッチ
２０６、２０６ａ、２０６ｂ  負荷判断装置
２０８  制御装置
ＡＣ  入力電源
Ｓ１  制御信号
Ｉｔ  総電流値
２０６２  検知ユニット
２０６４  判断ユニット
Ｖｃ  電流信号
２０６３  検知ユニット
２０６５  発射ユニット
２０６７  リモコン
Ｖｃ１  電流信号
Ｖｖ１  電圧信号
Ｓｆ  電源ＲＦ信号
Ｓ２  選択信号
【図１】
2010272507.tif 000003
【図２】
2010272507.tif 000004
【図３】
2010272507.tif 000005
【図４】
2010272507.tif 000006
【図５】
2010272507.tif 000007
【図６】
2010272507.tif 000008
【図７】
2010272507.tif 000009
【図８】
2010272507.tif 000010
【図９】
2010272507.tif 000011